(57)【要約】【課題】ボタンを有さず、装着者が自ら取り外すことができないため、装着者をリアルタイムに追跡することができる腕時計型位置追跡装置を提供する。【解決手段】本考案の腕時計型位置追跡装置は、ケーシング１０、プリント基板２０、表示モジュール３０、制御ユニット４０、衛星測位受信モジュール５０、通信モジュール６０、電池７０、防水パッキン８０、蓋体９０及び係合部材１００から構成される。工具を係合部材１００の両端の開孔１０１に固定し、工具の両端を押圧することにより、係合部材１００が開放される。本考案は、装着者が自ら係合部材１００を解除することができないため、装着者をリアルタイムに追跡することができる。【選択図】図１
0003188330.tif 000002
【実用新案登録請求の範囲】
【請求項１】
ケーシング、プリント基板、表示モジュール、制御ユニット、衛星測位受信モジュール、通信モジュール、電池、防水パッキン、蓋体及び係合部材を備える腕時計型位置追跡装置であって、
前記ケーシングは、中空であり、収容空間及び２つの固定部を有し、前記２つの固定部は、前記ケーシングの両側にそれぞれ接続され、前記ケーシングの後側の両端は、係合ピンをそれぞれ有し、
前記プリント基板は、前記収容空間中に配置され、
前記表示モジュールは、前記プリント基板上に配置される上、前記ケーシングから露出し、
前記制御ユニットは、前記プリント基板上に配置される上、前記表示モジュールに接続され
前記衛星測位受信モジュールは、前記プリント基板上に配置される上、前記制御ユニットに接続され、衛星測位の座標情報を受信するために用いられ、
前記通信モジュールは、前記プリント基板上に配置される上、前記制御ユニットに接続され、信号を送信するために用いられ、
前記電池は、前記収容空間内に配置される上、前記表示モジュール、前記制御ユニット、前記衛星測位受信モジュール及び前記通信モジュールに接続され、電源を供給するために用いられ、
前記防水パッキンは、前記ケーシング外側に嵌設され、
前記蓋体は、前記電池の一方の側面に位置し、前記防水パッキン及び前記ケーシング上に覆設され、
前記係合部材は、前記２つの固定部の両端に固定され、前記一方の係合部材の両側は、開孔をそれぞれ有し、前記開孔の内側は、係合部を有し、前記他方の係合部材の端部は、係合鉤を有し、工具を両端の前記開孔に固定し、前記工具の両端を押圧することにより、前記係合部から前記係合鉤が離脱し、前記係合部材が開放されることを特徴とする腕時計型位置追跡装置。
【請求項２】
前記表示モジュールは、液晶表示モジュールであることを特徴とする請求項１に記載の腕時計型位置追跡装置。
【請求項３】
前記制御ユニットは、マイクロコントローラであり、内部に前記腕時計型位置追跡装置の作動を制御するプログラムを有することを特徴とする請求項１に記載の腕時計型位置追跡装置。
【請求項４】
前記通信モジュールは、ＧＳＭモジュールであることを特徴とする請求項１に記載の腕時計型位置追跡装置。
【請求項５】
前記電池は、充電池であることを特徴とする請求項１に記載の腕時計型位置追跡装置。
【請求項６】
前記腕時計型位置追跡装置は、高度計を更に有し、前記高度計は、前記プリント基板上に配置される上、前記制御ユニットに接続され、所在地の高度情報を測定するために用いられることを特徴とする請求項１に記載の腕時計型位置追跡装置。
【請求項７】
前記腕時計型位置追跡装置は、脈拍計を更に有し、前記脈拍計は、前記プリント基板上に配置される上、前記制御ユニットに接続され、装着者の脈拍情報を測定するために用いられることを特徴とする請求項６に記載の腕時計型位置追跡装置。
【請求項８】
前記脈拍情報は、前記座標情報及び前記高度情報と共に前記通信モジュールを介して定期的に監視プラットフォームに送信されることを特徴とする請求項７に記載の腕時計型位置追跡装置。
【請求項９】
前記腕時計型位置追跡装置は、保護カバーを更に有し、前記保護カバーは、前記ケーシングの前端上に配置され、前記表示モジュールを保護することを特徴とする請求項１に記載の腕時計型位置追跡装置。
【請求項１０】
前記衛星測位受信モジュール及び前記通信モジュールは、アンテナをそれぞれ有し、前記アンテナは、前記収容空間中に配置されることを特徴とする請求項１に記載の腕時計型位置追跡装置。
【請求項１１】
前記腕時計型位置追跡装置は、マイクを更に有し、前記マイクは、前記プリント基板上に配置される上、前記制御ユニットに接続され、前記装着者の所在地の背景音を前記通信モジュールを介して前記監視プラットフォームに伝送することを特徴とする請求項８に記載の腕時計型位置追跡装置。
【考案の詳細な説明】
【技術分野】
【０００１】
本考案は、位置追跡装置に関し、特に、ボタンを有さず、装着者が係合部材を自ら取り外すことができないため、装着者をリアルタイムに追跡することができる腕時計型位置追跡装置を提供することにある。
【背景技術】
【０００２】
一般に、位置追跡装置は、ＧＰＳ機能を有するため、例えば痴呆症である装着者がどこに行っても、監視者は、ＧＰＳ受信機を介し、装着者の所在地の座標を知ることができる。これにより、装着者に事故が発生した際、座標情報に基づき、迅速に救援又は捜索を行うことができる。
【０００３】
従来の位置追跡装置は、装着者が容易に取り外すことができるため、装着者が装着を忘れたり、故意に取り外したりした場合、追跡を行うことができない。
【０００４】
また、従来の位置追跡装置で使用されるＧＰＳ装置は、装着者の座標情報を明確に知らせることができるが、一般的に、解析度が円周数百メートルの範囲である上、平面座標情報のみを取得でき、高度情報を取得できない。このため、装着者がビルの中にいる場合、各階を捜索しなければならず、時間が掛かってしまうという欠点を有する。
【０００５】
上述の従来の位置追跡装置の欠点を改善するため、本考案の腕時計型位置追跡装置が案出された。
【先行技術文献】
【特許文献】
【０００６】
【特許文献１】特許公開２０１１−１６３９１１号公報
【考案の概要】
【考案が解決しようとする課題】
【０００７】
本考案の第１の目的は、ボタンを有さず、装着者が係合部材を自ら取り外すことができないため、装着者をリアルタイムに追跡することができる腕時計型位置追跡装置を提供することにある。
本考案の第２の目的は、衛星測位受信モジュールを有し、装着者の所在地の座標情報を提供することができる腕時計型位置追跡装置を提供することにある。
本考案の第３の目的は、高度計を有し、装着者の所在地の高度情報を提供することができる腕時計型位置追跡装置を提供することにある。
本考案の第４の目的は、通信モジュールを有し、装着者の所在地の高度情報を監視プラットフォームに伝送することができる腕時計型位置追跡装置を提供することにある。
本考案の第５の目的は、脈拍計を有し、装着者の脈拍情報を提供することができる腕時計型位置追跡装置を提供することにある。
本考案の第６の目的は、マイクを有し、装着者の所在地の背景音を通信モジュールを介して監視プラットフォームに伝送することができる腕時計型位置追跡装置を提供することにある。
【課題を解決するための手段】
【０００８】
上述の課題を解決するために、本考案の腕時計型位置追跡装置は、ケーシング、プリント基板、表示モジュール、制御ユニット、衛星測位受信モジュール、通信モジュール、電池、防水パッキン、蓋体及び係合部材を含む。
【０００９】
ケーシングは、中空であり、収容空間及び２つの固定部を有する。２つの固定部は、ケーシングの両側にそれぞれ接続される。ケーシングの後側の両端は、係合ピンをそれぞれ有する。
【００１０】
プリント基板は、収容空間中に配置される。
【００１１】
表示モジュールは、プリント基板上に配置される上、ケーシングから露出する。
【００１２】
制御ユニットは、プリント基板上に配置される上、表示モジュールに接続される。
【００１３】
衛星測位受信モジュールは、プリント基板上に配置される上、制御ユニットに接続され、衛星測位の座標情報を受信するために用いられる。
【００１４】
通信モジュールは、プリント基板上に配置される上、制御ユニットに接続され、信号を送信するために用いられる。
【００１５】
電池は、収容空間内に配置される上、表示モジュール、制御ユニット、衛星測位受信モジュール及び通信モジュールに接続され、電源を供給するために用いられる。
【００１６】
防水パッキンは、ケーシング外側に嵌設される。
【００１７】
蓋体は、電池の一方の側面に位置し、防水パッキン及びケーシング上に覆設される。
【００１８】
係合部材は、２つの固定部の両端に固定される。一方の係合部材の両側は、開孔をそれぞれ有する。開孔の内側は、係合部を有する。他方の係合部材の端部は、係合鉤を有する。工具を両端の開孔に固定し、工具の両端を押圧することにより、係合部から係合鉤を離脱させ、係合部材を開放することができる。
【考案の効果】
【００１９】
本考案の腕時計型位置追跡装置は、ボタンを有さず、装着者が係合部材を自ら開放することができないため、装着者をリアルタイムに追跡することができる。また、衛星測位受信モジュールを有し、装着者の座標情報を提供することができる。また、高度計を有し、装着者の所在地の高度情報を提供することができる。また、マイクを有し、装着者の所在地の背景音を通信モジュールを介して監視プラットフォームに伝送することができる。また、脈拍計を有し、装着者の脈拍情報を提供することができる。
【図面の簡単な説明】
【００２０】
【図１】本考案の一実施形態による腕時計型位置追跡装置を示す分解斜視図である。
【図２】本考案の一実施形態による腕時計型位置追跡装置を示す斜視図である。
【図３】本考案の一実施形態による腕時計型位置追跡装置を示すブロック図である。
【考案を実施するための形態】
【００２１】
図１〜図３を参照する。図１は、本考案の一実施形態による腕時計型位置追跡装置を示す分解斜視図である。図２は、本考案の一実施形態による腕時計型位置追跡装置を示す斜視図である。図３は、本考案の一実施形態による腕時計型位置追跡装置を示すブロック図である。
【００２２】
図に示すように、本考案の腕時計型位置追跡装置は、例えば、取り外しができない位置追跡装置であり、ケーシング１０、プリント基板２０、表示モジュール３０、制御ユニット４０、衛星測位受信モジュール５０、通信モジュール６０、電池７０、防水パッキン８０、蓋体９０及び係合部材１００から構成される。
【００２３】
ケーシング１０は、例えば、金属又はプラスチックからなり、中空であり、収容空間１１及び２つの対称の固定部１２を有する。２つの固定部１２は、ケーシング１０の両側にそれぞれ接続される。ケーシング１０の後側の両端は、係合ピン１３をそれぞれ有する。係合ピン１３は、例えば、金属線である。
【００２４】
プリント基板２０は、収容空間１０中に配置され、表示モジュール３０、制御ユニット４０、衛星測位受信モジュール５０、通信モジュール６０などの部材を搭載するために用いられる。
【００２５】
表示モジュール３０は、プリント基板２０上に配置される上、ケーシング１０から露出し、関連情報を表示するために用いられる。表示モジュール３０は、例えば、液晶表示モジュールである。
【００２６】
制御ユニット４０は、プリント基板２０上に配置される上、表示モジュール３０に接続され、位置追跡装置の作動を制御するために用いられる。制御ユニット４０は、例えば、マイクロコントローラであり、内部に位置追跡装置の作動を制御するプログラム（図示せず）を有する。
【００２７】
衛星測位受信モジュール５０は、プリント基板２０上に配置される上、制御ユニット４０に接続され、衛星測位の座標情報を受信するために用いられる。
【００２８】
通信モジュール６０は、プリント基板２０上に配置される上、制御ユニット４０に接続され、信号を送信するために用いられる。通信モジュール６０は、例えば、ＧＳＭモジュール又はＧＰＲＳモジュールであり、加入者識別モジュール（Ｓｕｂｓｃｒｉｂｅｒ  Ｉｄｅｎｔｉｔｙ  Ｍｏｄｕｌｅ：ＳＩＭ）カード６１を有する。
【００２９】
電池７０は、収容空間１１中に配置される上、表示モジュール３０、制御ユニット４０、衛星測位受信モジュール５０及び通信モジュール６０に接続され、電源を供給するために用いられる。電池７０は、例えば、充電池である。
【００３０】
防水パッキン８０は、ケーシング１０の外側に嵌設され、水分又は粉塵がケーシング１０内に進入するのを防止する。
【００３１】
蓋体９０は、電池７０の一方の側面（例えば、後側）に位置し、防水パッキン８０及びケーシング１０上に覆設される。また、係合ピン１３により、蓋体９０とケーシング１０とは結合され、収容空間１１中の部材が保護される。
【００３２】
係合部材１００は、２つの固定部１２の両端に固定され、一方の係合部材１００の両側は、開孔１０１をそれぞれ有する。開孔１０１の内側は、係合部１０２を有する。他方の係合部材１００の端部は、係合鉤１０３を有する。工具（図示せず）を係合部材１００の両端の開孔１０１に固定し、工具の両端を押圧することにより、係合部１０２から係合鉤１０３が離脱し、係合部材１００が開放される。工具は、例えば、特殊工具であり、装着者が腕時計型位置追跡装置を自ら取り外す難度を高めることができる。
【００３３】
本考案の腕時計型位置追跡装置は、高度計１１０を更に有する。高度計１１０は、プリント基板２０上に配置される上、制御ユニット４０に接続され、所在地の高度情報を測定するために用いられる。例えば、高度情報は、９メートルと表示され、９メートルと表示された場合、一般的な建造物の場合、各階層が約３メートルであるため、装着者が４階にいることが推測され、装着者を迅速に見つけ出すことができる。
【００３４】
本考案の腕時計型位置追跡装置は、脈拍計１２０を更に有する。脈拍計１２０は、プリント基板２０上に配置される上、制御ユニット４０に接続され、装着者の脈拍情報を測定するために用いられる。脈拍情報は、通信モジュール６０を介し、衛星測位受信モジュール５０の座標情報と高度計１１０の高度情報と共に定期的（例えば、５分に１回）に送信される。
【００３５】
本考案の衛星測位受信モジュール５０及び通信モジュール６０は、アンテナ（図示せず）をそれぞれ有する。アンテナは、収容空間１１中に配置され、衛星測位受信モジュール５０及び通信モジュール６０の受信機能及び送信機能を強化する。
【００３６】
本考案の腕時計型位置追跡装置は、保護カバー１３０を更に有する。保護カバー１３０は、ケーシング１０の前端上に配置され、表示モジュール３０を保護する。保護カバー１３０は、例えば、透明プラスチック又はアクリルからなる。
【００３７】
本考案の腕時計型位置追跡装置は、マイク１４０を更に有する。マイク１４０は、プリント基板２０上に配置される上、制御ユニット４０に接続され、装着者の所在地の背景音を通信モジュール６０を介して監視プラットフォーム（図示せず）に伝送することができる。監視プラットフォームは、例えば、ＧＳＭモジュールが装備されたパソコンであり、装着者の所在地の座標情報、高度情報、背景音及び装着者の脈拍情報を受信して表示モニターに表示し、例えば、追跡を行う家族に提供することができる。
【００３８】
図２及び図３に示すように、本考案を作動させる際、工具を係合部材１００の両端の開孔１０１に固定する上、工具両端を押圧し、係合鉤１０３を係合部１０２から離脱させ、係合部材１００を開放する。その後、位置追跡装置を装着者の腕又は脚部上に装着する。位置追跡装置を起動すると、定期的（例えば、５分毎）に、装着者の脈拍情報、座標情報、高度情報及び背景音が通信モジュール６０を介して発信される。これにより、追跡者は、脈拍情報から装着者が山登り又はジョギングなどの運動をしているか否かを知ることができたり、座標情報から装着者の所在地を知ることができたり、高度情報から装着者が何階にいるかを知ることができたり、背景音（例えば、コンビニの入店チャイム、スポーツジムの背景音楽など）から装着者の所在地をを知ることができたりする。これにより、装着者の所在地の範囲を縮小することができ、緊急事故が発生し、医療スタッフへ救援を要請する場合、有効な情報を提供することができる。
【００３９】
上述したことから分かるように、本考案の腕時計型位置追跡装置は、ボタンを有さず、装着者が係合部材を自ら開放することができないため、装着者をリアルタイムに追跡することができる。また、衛星測位受信モジュールを有し、装着者の座標情報を提供することができる。また、高度計を有し、装着者の所在地の高度情報を提供することができる。また、マイクを有し、装着者の所在地の背景音を通信モジュールを介して監視プラットフォームに伝送することができる。また、脈拍計を有し、装着者の脈拍情報を提供することができる。即ち、本考案の腕時計型位置追跡装置は、従来の位置追跡装置と比較して確実に進歩性を有する。
【００４０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４１】
１０  ケーシング
１１  収容空間
１２  固定部
１３  係合ピン
２０  プリント基板
３０  表示モジュール
４０  制御ユニット
５０  衛星測位受信モジュール
６０  通信モジュール
６１  加入者識別モジュールカード
７０  電池
８０  防水パッキン
９０  蓋体
１００  係合部材
１０１  開孔
１０２  係合部
１０３  係合鉤
１１０  高度計
１２０  脈拍計
１３０  保護カバー
１４０  マイク
【図１】
0003188330.tif 000003
【図２】
0003188330.tif 000004
【図３】
0003188330.tif 000005